(57)【要約】【課題】本考案の目的は、トイレに取り付けたトイレ用フレーム器具を取り外すことなく、トイレを車両等の輸送手段に強固に固定することができるトイレ用フレーム器具を提供することである。【解決手段】本考案に係るトイレ用フレーム器具１は、トイレ本体部２の個室５を画定する壁部８の少なくとも一部を覆うシート部３が取り付けられるものである。上記目的を達成するために、本考案に係るトイレ用フレーム器具１は、壁部８の上縁１６と同じ又は上縁１６より高い高さ位置において、上縁１６に沿って延びる上端フレーム部３１を備え、上端フレーム部３１に、上端フレーム部３１を横断する間隙部３５が設けられている。【選択図】図１
0003204632.tif 000002
【実用新案登録請求の範囲】
【請求項１】
トイレ本体部の個室を画定する壁部の少なくとも一部を覆うシート部が取り付けられるトイレ用フレーム器具であって、
前記壁部の上縁と同じ又は前記上縁より高い高さ位置において、前記上縁に沿って延びる上端フレーム部を備え、
前記上端フレーム部に、前記上端フレーム部を横断する間隙部が設けられているトイレ用フレーム器具。
【請求項２】
前記トイレ本体部の両側面側に配置される側面フレーム部を備え、
前記側面フレーム部は、前記トイレ本体部を挟んで対向配置され前記トイレ本体部の奥行方向に延びる一対の前記上端フレーム部を備え、
前記間隙部は、前記上端フレーム部にそれぞれ設けられている請求項１記載のトイレ用フレーム器具。
【請求項３】
前記側面フレーム部は、前記上端フレーム部の高さ位置よりも下方において、前記上端フレーム部と平行に延びる中間フレーム部と、前記上端フレーム部から前記中間フレーム部に向かって延び、前記上端フレーム部と前記中間フレーム部を連結する複数の連結フレーム部とを備え、
隣り合う前記連結フレーム部の間に、前記間隙部が位置している請求項２記載のトイレ用フレーム器具。
【請求項４】
前記中間フレーム部は、前記上端フレーム部よりも、前記壁部に近接した位置にオフセットして設けられている請求項３記載のトイレ用フレーム器具。
【請求項５】
前記側面フレーム部は、前記トイレ本体部の正面側で前記トイレ本体部の高さ方向に延びる正面側縦フレーム部と、前記トイレ本体部の背面側で前記トイレ本体部の高さ方向に延びる背面側縦フレーム部とを備え、
前記中間フレーム部の両端部は、前記正面側縦フレーム部と前記背面側縦フレーム部の内側にオフセットしてそれぞれ取り付けられている請求項３又は請求項４記載のトイレ用フレーム器具。
【請求項６】
前記側面フレーム部は、前記トイレ本体部の下端側において前記トイレ本体部の奥行方向に延びる下端フレーム部を備え、
前記下端フレーム部は、前記壁部の下縁に沿って配置されている請求項２から請求項５のいずれか１項記載のトイレ用フレーム器具。
【請求項７】
前記トイレ本体部の背面側に配置される背面フレーム部を備え、
前記背面フレーム部は、前記トイレ本体部の上端側において前記トイレ本体部の幅方向に延びる背面上端側フレーム部を備え、
前記側面フレーム部は、前記トイレ本体部の一方の側面側において、前記トイレ本体部の背面側で前記トイレ本体部の高さ方向に延びる第１の背面側縦フレーム部と、前記トイレ本体部の他方の側面側において、前記トイレ本体部の背面側で前記トイレ本体部の高さ方向に延びる第２の背面側縦フレーム部を備え、
前記背面上端側フレーム部の両端部は、前記第１の背面側縦フレーム部と前記第２の背面側縦フレーム部の外側にオフセットしてそれぞれ取り付けられている請求項２から請求項６のいずれか１項記載のトイレ用フレーム器具。
【請求項８】
前記背面フレーム部は、前記トイレ本体部の下端側において前記トイレ本体部の幅方向に延びる背面下端側フレーム部を備え、
前記背面下端側フレーム部は、前記トイレ本体部の下端側に設けられた便槽部及び給水部が露出する位置に配置されている請求項７記載のトイレ用フレーム器具。
【請求項９】
請求項１から請求項８のいずれか１項記載のトイレ用フレーム器具と、
前記トイレ用フレーム器具に取り付けられる前記シート部とを備えるトイレ用覆い具。
【請求項１０】
請求項１から請求項８のいずれか１項記載のトイレ用フレーム器具と、
前記トイレ用フレーム器具に取り付けられる前記シート部と、
前記トイレ用フレーム器具が固定されて前記シート部によって前記壁部の少なくとも一部が覆われる前記トイレ本体部とを備えるトイレ。
【考案の詳細な説明】
【技術分野】
【０００１】
本考案は、トイレ用フレーム器具、トイレ用覆い具及びトイレに関する。
【背景技術】
【０００２】
従来から、工事現場や野外イベント会場、災害発生時の避難所等において用いられる仮設トイレが知られている（例えば、特許文献１）。特許文献１には、便槽を内蔵し、建屋と一体的に組み込まれている車載移動式木造建屋一体型仮設簡易水洗トイレが記載されている。このようなトイレは、トイレ個室を画定する壁部が組み立てられた状態で、トイレ設置場所に運搬される場合がある。組み立て済みのトイレは、例えば、車両等の輸送手段に積載されて運搬される。
【先行技術文献】
【特許文献】
【０００３】
【特許文献１】特開２００７−４００７１号公報
【考案の概要】
【考案が解決しようとする課題】
【０００４】
しかしながら、トイレを運搬する際には、車両等の輸送手段に積載されたトイレが、振動等によって倒れたり移動したりしてしまうため、トイレを車両等に強固に固定する必要がある。
また、トイレの壁部には、目隠し用のシートが取り付けられることがある。この場合、例えば、シートを取り付けるための枠となるトイレ用フレーム器具が、トイレに取り付けられる。トイレ用フレーム器具は、トイレを運搬する前に予めトイレに取り付けておくことが望ましい。トイレ用フレーム器具をトイレに取り付けない状態でトイレ及びトイレ用フレーム器具を運搬すると、トイレの設置場所において、トイレ用フレーム器具の取り付け作業が発生してしまうからである。
【０００５】
したがって、トイレに取り付けたトイレ用フレーム器具を取り外すことなく、トイレを車両等の輸送手段に強固に固定する必要がある。
上記に鑑みて本考案の目的は、トイレに取り付けたトイレ用フレーム器具を取り外すことなく、トイレを車両等の輸送手段に強固に固定することができるトイレ用フレーム器具、トイレ用覆い具及びトイレを提供することである。
【課題を解決するための手段】
【０００６】
本考案に係るトイレ用フレーム器具は、トイレ本体部の個室を画定する壁部の少なくとも一部を覆うシート部が取り付けられるものである。上記目的を達成するために、本考案に係るトイレ用フレーム器具は、壁部の上縁と同じ又は上縁より高い高さ位置において、上縁に沿って延びる上端フレーム部を備え、上端フレーム部に、上端フレーム部を横断する間隙部が設けられている。
【０００７】
これにより、トイレを固定する紐部材を間隙部に架け渡すことができる。よって、本考案に係るフレーム器具によれば、トイレに取り付けたトイレ用フレーム器具を取り外すことなく、トイレを車両等の輸送手段に強固に固定することができる。
【０００８】
一例として、トイレ本体部の両側面側に配置される側面フレーム部を備え、側面フレーム部は、トイレ本体部を挟んで対向配置されトイレ本体部の奥行方向に延びる一対の上端フレーム部を備え、間隙部は、上端フレーム部にそれぞれ設けられている。
これにより、トイレの側面側の壁部を覆うシート部を取り付けることができる。また、トイレを固定する紐部材を一対の間隙部に架け渡すことができる。したがって、トイレ本体部の両側面側に側面フレーム部を取り付けた場合であっても、側面フレーム部を取り外すことなく、トイレを車両等の輸送手段に強固に固定することができる。
【０００９】
例えば、側面フレーム部は、上端フレーム部の高さ位置よりも下方において、上端フレーム部と平行に延びる中間フレーム部と、上端フレーム部から中間フレーム部に向かって延び、上端フレーム部と中間フレーム部を連結する複数の連結フレーム部とを備え、隣り合う連結フレーム部の間に、間隙部が位置している。
これにより、上端フレーム部と中間フレーム部を補強することができる。また、間隙部に架け渡した紐部材がずれた場合であっても、紐部材が連結フレーム部に引っかかるため、紐部材のずれを低減させることができる。
【００１０】
例えば、中間フレーム部は、上端フレーム部よりも、壁部に近接した位置にオフセットして設けられている。
これにより、シート部をトイレ用フレーム器具に取り付けたときに、シート部が中間フレーム部によって外側に引っ張られることを防止できる。このように、シート部が中間フレーム部によって外側に張り出すことを防止できるため、シート部の耐久性を高めることができる。
【００１１】
一例として、側面フレーム部は、トイレ本体部の正面側でトイレ本体部の高さ方向に延びる正面側縦フレーム部と、トイレ本体部の背面側でトイレ本体部の高さ方向に延びる背面側縦フレーム部とを備え、中間フレーム部の両端部は、正面側縦フレーム部と背面側縦フレーム部の内側にオフセットしてそれぞれ取り付けられている。
これにより、中間フレーム部を側面側の壁部に近接した位置に配置することができる。また、中間フレーム部によって、正面側縦フレーム部と背面側縦フレーム部が補強され、側面フレーム部の強度を高めることができる。
【００１２】
例えば、側面フレーム部は、トイレ本体部の下端側においてトイレ本体部の奥行方向に延びる下端フレーム部を備え、下端フレーム部は、壁部の下縁に沿って配置されている。
これにより、トイレを移動させる際に、下端フレーム部を把持してトイレを持ち上げることができる。
【００１３】
一例として、トイレ本体部の背面側に配置される背面フレーム部を備え、背面フレーム部は、トイレ本体部の上端側においてトイレ本体部の幅方向に延びる背面上端側フレーム部を備え、側面フレーム部は、トイレ本体部の一方の側面側において、トイレ本体部の背面側でトイレ本体部の高さ方向に延びる第１の背面側縦フレーム部と、トイレ本体部の他方の側面側において、トイレ本体部の背面側でトイレ本体部の高さ方向に延びる第２の背面側縦フレーム部を備え、背面上端側フレーム部の両端部は、第１の背面側縦フレーム部と第２の背面側縦フレーム部の外側にオフセットしてそれぞれ取り付けられている。
【００１４】
これにより、トイレの背面側の壁部を覆うシート部を取り付けることができる。また、背面上端側フレーム部と背面側の壁部の間の空間をより広く確保することができる。よって、背面側の壁部に換気口が設けられている場合、シート部を取り付けた状態であっても、換気口を介した空気の流出入をより促進させることができる。したがって、トイレの臭気を外部に逃がしやすくすることができる。
【００１５】
例えば、背面フレーム部は、トイレ本体部の下端側においてトイレ本体部の幅方向に延びる背面下端側フレーム部を備え、背面下端側フレーム部は、トイレ本体部の下端側に設けられた便槽部及び給水部が露出する位置に配置されている。
これにより、トイレに取り付けたトイレ用フレーム器具を取り外すことなく、便槽部からの汲み取り作業及び給水部への給水作業を行うことができる。よって、汲み取り作業及び給水作業を迅速に行うことができる。
【００１６】
例えば、本考案に係るトイレ用覆い具は、上記のトイレ用フレーム器具と、トイレ用フレーム器具に取り付けられるシート部とを備える。
一例として、本考案に係るトイレは、上記のトイレ用フレーム器具と、トイレ用フレーム器具に取り付けられるシート部と、トイレ用フレーム器具が固定されてシート部によって壁部の少なくとも一部が覆われるトイレ本体部とを備える。
【考案の効果】
【００１７】
本考案によれば、トイレに取り付けたトイレ用フレーム器具を取り外すことなく、トイレを車両等の輸送手段に強固に固定することができる。
【図面の簡単な説明】
【００１８】
【図１】トイレ用フレーム器具をトイレに取り付けた状態を示す正面側斜視図である。
【図２】トイレ用フレーム器具をトイレに取り付けた状態を示す背面側斜視図である。
【図３】シート部を取り付けた側面フレーム部を示す側面図である。
【図４】シート部を取り付けていない側面フレーム部を示す側面図である。
【図５】（ａ）中間フレーム部を内側からみた部分拡大斜視図である。（ｂ）中間フレーム部を正面側からみた部分拡大正面図である。
【図６】（ａ）連結フレーム部を外側からみた部分拡大斜視図である。（ｂ）連結フレーム部の縦断面図である。
【図７】第２の下端フレーム部が取り付けられたトイレの下端部分を示す部分拡大側面図である。
【図８】シート部を取り付けた背面フレーム部を示す背面図である。
【図９】背面上端側フレーム部を示す部分拡大斜視図である。
【図１０】トイレの運搬状態を示す説明図である。
【図１１】紐部材が架け渡された間隙部を示す部分拡大側面図である。
【考案を実施するための形態】
【００１９】
以下、本考案の実施形態におけるトイレ用フレーム器具について説明する。なお、「正面」、「側面」、「背面」、「上」、「下」、「右」、「左」、「外側」、「内側」、「縦」、「横」、「幅方向」、「奥行方向」、「高さ方向」等の方向を示す語は、図面の状態に基づく便宜上のものであり、実際の方向はこれに限定されるものではない。
【００２０】
図１及び図２は、トイレ用フレーム器具（以下、「フレーム器具」という。）１をトイレ本体部２に取り付けた状態を示す斜視図である。図１は、正面側からみた斜視図であり、フレーム器具１にシート部３を取り付けた状態を示している。図２は背面側からみた斜視図であり、フレーム器具１にシート部３を取り付けていない状態を示している。図２においては、説明のため、トイレ本体部２を点線で示し、フレーム器具１を実線で示している。なお、他の図のいくつかについても、説明のため、トイレ本体部２を点線で示している。
【００２１】
本実施形態に係るトイレ２００は、トイレ用覆い具２０１を備えている。トイレ用覆い具２０１は、フレーム器具１とシート部３を備えている。図１に示すように、トイレ用覆い具２０１において、フレーム器具１にシート部３が取り付けられている。
フレーム器具１は、トイレ本体部２の壁部８の少なくとも一部を覆うシート部３を取り付けるためのものである。シート部３は、例えば、不透明なビニールシートである。本実施形態において、トイレ２００は、工事現場や野外イベント会場、災害発生時の避難所等において用いられる仮設トイレである。
【００２２】
トイレ本体部２は、トイレ個室部５と便槽部６と踏板部１５を備えている。トイレ個室部５は、略直方体に形成されていて、その内部空間に便器等のトイレ器具が設置されるものである。
トイレ個室部５は、壁部８と天井部９と扉部１０を備えている。壁部８と天井部９と扉部１０は、トイレ個室部５の内部空間を画定している。図２に示すように、壁部８は、トイレ本体部２の両側面側に板状の側面壁部１２を備え、背面側に板状の背面壁部１３を備えている。
【００２３】
背面壁部１３の下端部１３ｂには、便槽部６の上に、給水部１７が設けられている。給水部１７は、トイレ本体部２に水を供給する給水口１８を備えている。給水部１７は、給水口１８を介して外部から給水された水を受け付け、トイレ本体部２内に導くものである。また、給水部１７は、給水口用蓋１９を備え、給水作業時以外は、給水口１８に給水口用蓋１９が閉められている。
また、背面壁部１３の上端部１３ａには、２カ所に換気口２４が設けられている。なお、本実施形態では、２カ所の換気口２４のうち、より上方に位置する丸形状の換気口２４が便槽６内の臭気抜きのために設けられ、もう一方の四角形状の換気口２４がトイレ個室内の換気のために設けられている。
【００２４】
図１に示す正面側では、トイレ本体部２における幅方向Ｘの両端部に、正面壁部１４が設けられている。
また、扉部１０は、トイレ本体部２の正面側に設置され、開閉可能に形成されている。幅方向Ｘの一方の端部側に設けられた正面壁部１４には、扉部１０の回転軸部（不図示）が取り付けられている。
【００２５】
便槽部６は、トイレ個室部５の下端側に設けられていて、汚物を収納するものである。図２に示すように、背面側において便槽部６は、背面壁部１３よりも外側に突出する便槽突出部２１を備えている。
なお、本明細書においては、トイレ本体部２から遠い方を外側とし、トイレ本体部２に近い方を内側として説明している。
【００２６】
便槽突出部２１の上面２１ａには、汲み取り口２２が設けられている。汲み取り口２２は、便槽部６に収納された汚物を外部に汲み出すための開口である。便槽部６は、汲み取り口用蓋２３を備え、汲み取り作業時以外は、汲み取り口２２に汲み取り口用蓋２３が閉められている。
【００２７】
図１に示すように、正面側において、踏板部１５が便槽部６から外側に突出して設けられている。踏板部１５は、板状の踏板本体部１５ａと踏板本体部１５ａを支持する踏板支持部１５ｂを備えている。踏板本体部１５ａは、トイレ本体部２の設置面Ｓと扉部１０の下縁１０ａの間の高さ位置（高さ方向Ｈにおける位置）に設けられている。
【００２８】
フレーム器具１は、トイレ本体部２の側面側に配置される側面フレーム部２５と、トイレ本体部２の背面側に配置される背面フレーム部２６とを備えている。
図３及び図４に示すように、側面フレーム部２５は、長尺状部材によって略長方形を形成した外枠部３０を備えている。本実施形態において、外枠部３０を構成する長尺状部材は、横断面形状が円形であり、内部が空洞になっている金属部材である。
【００２９】
図４に示すように、外枠部３０は、仮想中心線Ｚ１に対して左右対称の形状を有している。
外枠部３０は、上端フレーム部３１と、第１の下端フレーム部３２と、正面側縦フレーム部３３と、背面側縦フレーム部３４とを備えている。上端フレーム部３１と、第１の下端フレーム部３２と、正面側縦フレーム部３３と、背面側縦フレーム部３４は、同一径の長尺状部材によって、形成されている。
【００３０】
上端フレーム部３１は、側面壁部１２の上縁１６より高い高さ位置において、側面壁部１２に沿って延びている。本実施形態においては、上端フレーム部３１の中心軸は、高さ方向Ｈにおいて、側面壁部１２の上縁１６よりも少し上方に配置されている。
上端フレーム部３１は、上端フレーム部３１を幅方向Ｘに横断する間隙部３５を備えている。
【００３１】
説明のため、上端フレーム部３１において、間隙部３５を介して正面側に位置する部分を第１の上端フレーム片３１ａとし、背面側に位置する部分を第２の上端フレーム片３１ｂとする。第１の上端フレーム片３１ａ及び第２の上端フレーム片３１ｂは奥行方向Ｄに延び、第１の上端フレーム片３１ａ及び第２の上端フレーム片３１ｂの高さ位置は同一である。
【００３２】
また、図１及び図２に示すように、第１の上端フレーム片３１ａ及び第２の上端フレーム片３１ｂの幅方向Ｘにおける位置も同一であり、これらの第１の上端フレーム片３１ａ及び第２の上端フレーム片３１ｂは同軸上に配置されている。第１の上端フレーム片３１ａの先端部３８ａと、第２の上端フレーム片３１ｂの先端部３８ｂは、間隙部３５を介して対向している。上端フレーム部３１を構成する長尺状部材の内部は空洞であるため、先端部３８ａ，３８ｂにおける対向面３９には、それぞれ、円形の開口が形成されている。なお、この開口には、それぞれ、キャップ（不図示）が取り付けられるため、開口は外部から見えなくなる。
【００３３】
図４に示すように、第１の上端フレーム片３１ａの正面側端部３６は、正面側縦フレーム部３３の上端部３３ａと連続し、第２の上端フレーム片３１ｂの背面側端部３７は、背面側縦フレーム部３４の上端部３４ａと連続している。
【００３４】
側面フレーム部２５は、中間フレーム部４０を備えている。中間フレーム部４０は、上端フレーム部３１の高さ位置よりも下方において、上端フレーム部３１と平行に延びている。中間フレーム部４０を構成する長尺状部材は、外枠部３０と同様に、横断面形状が円形であり、内部が空洞になっている金属部材である。中間フレーム部４０の径寸法は、上端フレーム部３１と同一である。
中間フレーム部４０の正面側端部４１は、正面側縦フレーム部３３に接合されていて、背面側端部４２は、背面側縦フレーム部３４に接合されている。なお、本実施形態では、接合方法として溶接を採用している。
【００３５】
図５（ａ）及び図５（ｂ）に示すように、中間フレーム部４０は、トイレ本体部２の幅方向Ｘにおいて、上端フレーム部３１よりも、トイレ本体部２の側面壁部１２に近接した位置にオフセットして設けられている。中間フレーム部４０の正面側端部４１は、板状に潰されて、正面側縦フレーム部３３の内側、すなわち、側面壁部１２と対向する側３３ｃに接合されている。このように、接合部４３が正面側縦フレーム部３３における側面壁部１２と対向する側３３ｃに位置しているため、図５（ｂ）に示すように、幅方向Ｘにおいて、中間フレーム部４０の中心軸Ｚ２の位置は、正面側縦フレーム部３３の中心軸Ｚ３の位置よりも側面壁部１２に近接した位置にある。
また、同様に、中間フレーム部４０の背面側端部４２も、板状に潰されて背面側縦フレーム部３４の内側に接合されている。なお、図５（ｂ）においては、説明のため、後述の取り付け金具４４を省略して図示している。
【００３６】
図１及び図２に示すように、中間フレーム部４０は、取り付け金具４４を介して、トイレ本体部２の正面壁部１４及び背面壁部１３に取り付けられている。本実施形態において、取り付け金具４４はＬ字状金具である。Ｌ字状金具４４の一方の片部４４ａは、中間フレーム部４０の内側（側面壁部１２と対向する側）に締結具を介して固定されている。Ｌ字状金具４４の他方の片部４４ｂは、正面側においては正面壁部１４に、背面側においては背面壁部１３に、それぞれ、締結具を介して固定されている。取り付けられた中間フレーム部４０と側面壁部１２の間には、所定の空間４５が保持されている。
【００３７】
また、図４に示すように、側面フレーム部２５は、連結フレーム部４６を備えている。連結フレーム部４６は、上端フレーム部３１から中間フレーム部４０に向かって延び、上端フレーム部３１と中間フレーム部４０を連結している。連結フレーム部４６を構成する長尺状部材は、横断面形状が円形であり、内部が空洞になっている金属部材である。
【００３８】
本実施形態においては、２個の連結フレーム部４６が高さ方向Ｈに向けられて、奥行方向Ｄに並置されている。正面側に近い方の連結フレーム部４６を第１の連結フレーム部４６ａと呼び、背面側に近い方の連結フレーム部４６を第２の連結フレーム部４６ｂと呼ぶ。第１の連結フレーム部４６ａと第２の連結フレーム部４６ｂとの間、すなわち、隣り合う連結フレーム部４６ａ，４６ｂの間に、間隙部３５が位置している。
【００３９】
第１の連結フレーム部４６ａは、第１の上端フレーム片３１ａの先端部３８ａから垂直に延び、第２の連結フレーム部４６ｂは、第２の上端フレーム片３１ｂの先端部３８ｂから垂直に延びている。したがって、第１の連結フレーム部４６ａと第２の連結フレーム部４６ｂは互いに平行に延びている。第１の連結フレーム部４６ａの上端部４７は第１の上端フレーム片３１ａに接合され、第２の連結フレーム部４６ｂの上端部４７は第２の上端フレーム片３１ｂに接合されている。第１の連結フレーム部４６ａ及び第２の連結フレーム部４６ｂの下端部４８は、それぞれ、中間フレーム部４０に接合されている。
【００４０】
図６（ａ）及び図６（ｂ）に示すように、連結フレーム部４６の上端部４７は、板状に潰されて、上端フレーム部３１の内側３１ｃに接合されている。したがって、連結フレーム部４６と上端フレーム部３１の接合部分である上端接合部５１は、上端フレーム部３１において側面壁部１２と対向する側３１ｃに位置している。一方、連結フレーム部４６の下端部４８は、板状に潰されて、中間フレーム部４０の上側４０ａに接合されている。本実施形態において、連結フレーム部４６と中間フレーム部４０の接合部分である下端接合部５２は、幅方向Ｘにおいて、中間フレーム部４０の中心軸Ｚ２上に位置している。
【００４１】
図６（ｂ）に示すように、幅方向Ｘにおいて、中間フレーム部４０の中心軸Ｚ２の位置は、上端フレーム部３１の中心軸Ｚ４の位置よりも側面壁部１２に近接した位置にある。説明のため、中心軸Ｚ４の幅方向Ｘにおける位置を仮想線Ｚ５によって示す。
このように、幅方向Ｘにおいて、上端フレーム部３１の中心軸Ｚ４と中間フレーム部４０の中心軸Ｚ２の位置がずれているため、上端接合部５１を上端フレーム部３１の側面壁部１２と対向する側３１ｃに配し、下端接合部５２を中間フレーム部４０の上側４０ａに配することにより、連結フレーム部４６が上端フレーム部３１から中間フレーム部４０に向かって垂直に延びるように構成している。なお、第１の連結フレーム部４６ａと第２の連結フレーム部４６ｂは、同じ構造を有していて、どちらも、前述したやり方で上端フレーム部３１及び中間フレーム部４０に接合されている。
【００４２】
また、側面フレーム部２５は、図４に示すように、中間フレーム部４０と第１の下端フレーム部３２との間に、補強フレーム部５５を備えている。
補強フレーム部５５は、中間フレーム部４０の高さ位置よりも下方において、中間フレーム部４０と平行に延びている。補強フレーム部５５を構成する長尺状部材は、外枠部３０と同様に、横断面形状が円形であり、内部が空洞になっている金属部材である。補強フレーム部５５の径寸法は、上端フレーム部３１と同一である。
【００４３】
補強フレーム部５５の正面側端部５６は、正面側縦フレーム部３３に接合されていて、補強フレーム部５５の背面側端部５７は、背面側縦フレーム部３４に接合されている。中間フレーム部４０と同様に、補強フレーム部５５の正面側端部５６は、板状に潰されて、正面側縦フレーム部３３の内側にオフセットして接合され、背面側端部５７は、板状に潰されて、背面側縦フレーム部３４の内側にオフセットして接合されている。
【００４４】
また、側面フレーム部２５は、図４に示すように、補強フレーム部５５と第１の下端フレーム部３２との間に、第２の下端フレーム部６０を備えている。第２の下端フレーム部６０は、補強フレーム部５５の高さ位置よりも下方において、補強フレーム部５５と平行に延びている。第２の下端フレーム部６０を構成する長尺状部材は、外枠部３０と同様に、横断面形状が円形であり、内部が空洞になっている金属部材である。第２の下端フレーム部６０の径寸法は、上端フレーム部３１と同一である。
【００４５】
第２の下端フレーム部６０の正面側端部６１は、正面側縦フレーム部３３に接合されていて、第２の下端フレーム部６０の背面側端部６２は、背面側縦フレーム部３４に接合されている。中間フレーム部４０と同様に、第２の下端フレーム部６０の正面側端部６１は、板状に潰されて、正面側縦フレーム部３３の内側にオフセットして接合され、背面側端部６２は、板状に潰されて、背面側縦フレーム部３４の内側にオフセットして接合されている。
【００４６】
図７に示すように、第２の下端フレーム部６０は、側面壁部１２の下縁６４に沿って配置されている。側面壁部１２の下端部１２ｂには、下縁６４に沿って、２カ所に凹部６６が設けられている。凹部６６の下端部６６ａは、幅方向Ｘに延びている。また、便槽部６においても、凹部６６の下に、凹部６ａが設けられている。凹部６ａの上端部（不図示）は、凹部６６の下端部６６ａに沿って幅方向Ｘに突出している。したがって、凹部６６の下端部６６ａ及び凹部６ａの上端部の下には、空間６ｂが形成されている。なお、凹部６ａの上端部は、図４において、第２の下端フレーム部６０の後ろ側に位置しているため、第２の下端フレーム部６０によって隠れている。また、本実施形態では、トイレ個室内に設置されているフロアパネルの幅方向Ｘにおける端部６９が凹部６６の下端部６６ａと凹部６ａの上端部の間に挿入されている。
【００４７】
第２の下端フレーム部６０は、Ｌ字状の取り付け金具６８を介して、凹部６６の下端部６６ａに取り付けられている。ここで、Ｌ字状金具６８の一方の片部６８ａは、締結具７１によって第２の下端フレーム部６０に固定され、他方の片部６８ｂは、締結具７２によって凹部６６の下端部６６ａに固定されている。なお、このとき、便槽部６の凹部６ａの上端部も、凹部６６の下端部６６ａ及び上記フロアパネルの端部６９と共に、締結具７２によって固定されている。また、凹部６６において、側面壁部１２は、締結具７３によって上記フロアパネルの側面（不図示）に固定されている。
【００４８】
図４に示すように、第１の下端フレーム部３２は、第２の下端フレーム部６０の高さ位置よりも下方において、第２の下端フレーム部６０と平行に延びている。このように、本実施形態において、上端フレーム部３１、中間フレーム部４０、補強フレーム部５５、第２の下端フレーム部６０及び第１の下端フレーム部３２は、奥行方向Ｄに、互いに平行に延びている。第１の下端フレーム部３２の正面側端部３２ａは、正面側縦フレーム部３３の下端部３３ｂと連続し、第１の下端フレーム部３２の背面側端部３２ｂは、背面側縦フレーム部３４の下端部３４ｂと連続している。
【００４９】
正面側縦フレーム部３３及び背面側縦フレーム部３４は、上端フレーム部３１及び第１の下端フレーム部３２から垂直に延びている。したがって、正面側縦フレーム部３３と上端フレーム部３１が交わる正面側上端角部７５と、正面側縦フレーム部３３と第１の下端フレーム部３２が交わる正面側下端角部７６と、背面側縦フレーム部３４と上端フレーム部３１が交わる背面側上端角部７７と、背面側縦フレーム部３４と第１の下端フレーム部３２が交わる背面側下端角部７８は、それぞれ、９０度の角度を有している。正面側縦フレーム部３３及び背面側縦フレーム部３４は高さ方向Ｈに、互いに平行に延びている。
【００５０】
また、上端フレーム部３１と、第１の下端フレーム部３２と、正面側縦フレーム部３３と、背面側縦フレーム部３４は同一平面上にある。したがって、幅方向Ｘにおいて、図５を参照して前述した正面側縦フレーム部３３の中心軸Ｚ３の位置と、図６（ｂ）を参照して前述した上端フレーム部３１の中心軸Ｚ４の位置は同じである。
図４に示すように、奥行方向Ｄにおいて、正面側縦フレーム部３３は側面壁部１２の正面側の側縁１２ｅよりも外側に位置していて、背面側縦フレーム部３４は側面壁部１２の背面側の側縁１２ｆよりも外側に位置している。
【００５１】
正面側縦フレーム部３３及び背面側縦フレーム部３４には、補強フレーム部５５の高さ位置よりも上方に接続部７４が設けられている。本実施形態において、正面側縦フレーム部３３及び背面側縦フレーム部３４を構成する長尺状部材は、接続部７４において分断されている。フレーム器具１が組み立てられるときに、分断された長尺状部材の一方の端部７４ａが他方の端部７４ｂに嵌め込まれることにより、接続部７４において、一方の端部７４ａと他方の端部７４ｂが接続される。これにより、上端フレーム部３１から第１の下端フレーム部３２まで連続する正面側縦フレーム部３３及び背面側縦フレーム部３４が構成されている。
【００５２】
側面フレーム部２５は、トイレ本体部２の両側面側、すなわち、一方の側面１２ｃ側と、他方の側面１２ｄ側の両方の側に設けられている。側面フレーム部２５は、トイレ本体部２を挟んで対向配置されている。本実施形態において、一方の側面１２ｃ側及び他方の側面１２ｄ側に配置された側面フレーム部２５は同一の構成を有している。したがって、フレーム器具１は、トイレ本体部２の奥行方向Ｄに延びる一対の上端フレーム部３１を備えている。間隙部３５は、一対の上端フレーム部３１にそれぞれ設けられている。
トイレ本体部２の一方の側面１２ｃ側に設けられた背面側縦フレーム部３４を第１の背面側縦フレーム部３４ｃと呼び、他方の側面１２ｄ側に設けられた背面側縦フレーム部３４を第２の背面側縦フレーム部３４ｄと呼ぶ。
【００５３】
図２及び図８に示すように、背面フレーム部２６は、トイレ本体部２の幅方向Ｘに延び、第１の背面側縦フレーム部３４ｃと第２の背面側縦フレーム部３４ｄを連結している。背面フレーム部２６を構成する長尺状部材は、外枠部３０と同様に、横断面形状が円形であり、内部が空洞になっている金属部材である。背面フレーム部２６の径寸法は、上端フレーム部３１と同一である。
図２に示すように、背面フレーム部２６と背面壁部１３との間には、所定の空間７９が保持されている。
【００５４】
背面フレーム部２６は、背面上端側フレーム部８１と、背面下端側フレーム部８２を備えている。背面上端側フレーム部８１は、背面壁部１３の上端部１３ａ側において幅方向Ｘに延びている。図８に示すように、背面上端側フレーム部８１の高さ位置は背面壁部１３の上縁１３ｃ及び側面フレーム部２５の背面側上端角部７７の高さ位置よりも低い。
背面上端側フレーム部８１の両端部８３，８４は、第１の背面側縦フレーム部３４ｃと第２の背面側縦フレーム部３４ｄの外側にそれぞれオフセットして取り付けられている。
背面上端側フレーム部８１の一方の端部８３は、第１の背面側縦フレーム部３４ｃに固定され、他方の端部８４は、第２の背面側縦フレーム部３４ｄに固定されている。
【００５５】
図９に示すように、背面上端側フレーム部８１の端部８４は、Ｌ字状の取り付け金具８８を介して第２の背面側縦フレーム部３４ｄに固定されている。Ｌ字状金具８８の一方の片部８８ａは背面上端側フレーム部８１の他方の端部８４に溶接されている。Ｌ字状金具８８の他方の片部８８ｂは、締結具８９を介して、第２の背面側縦フレーム部３４ｄの外側に固定されている。Ｌ字状金具８８の一方の片部８８ａの先端８８ｃは、外側に突出している。したがって、Ｌ字状金具８８の一方の片部８８ａは、奥行方向Ｄにおいて、第２の背面側縦フレーム部３４ｄよりも外側に位置している。
【００５６】
なお、背面上端側フレーム部８１の一方の端部８３も、同様のやり方で第１の背面側縦フレーム部３４ｃの外側に固定されている。
このように、背面上端側フレーム部８１の両端部８３，８４が、背面側縦フレーム部３４の外側に取り付けられているため、奥行方向Ｄにおいて、背面上端側フレーム部８１の中心軸の位置は、背面側縦フレーム部３４の中心軸の位置よりも外側に位置することになる。
【００５７】
図２及び図８に示すように、背面下端側フレーム部８２は、背面壁部１３の下端部１３ｂ側において幅方向Ｘに延びている。背面下端側フレーム部８２の高さ位置は、背面壁部１３の下縁１３ｄよりも高い。背面下端側フレーム部８２は、トイレ本体部２の下端側に設けられた便槽部６及び給水部１７が露出する位置に配置されている。
【００５８】
図８に示すように、背面下端側フレーム部８２の両端部８５，８６は、第１の背面側縦フレーム部３４ｃと第２の背面側縦フレーム部３４ｄにそれぞれ取り付けられている。奥行方向Ｄにおいて、背面下端側フレーム部８２の中心軸と、第１の背面側縦フレーム部３４ｃ及び第２の背面側縦フレーム部３４ｄの中心軸の位置は同じである。すなわち、第１の背面側縦フレーム部３４ｃと第２の背面側縦フレーム部３４ｄにおいて互いに対向する側に、背面下端側フレーム部８２の両端部８５，８６が取り付けられている。
【００５９】
本実施形態では、背面上端側フレーム部８１と同様に、Ｌ字状金具及び締結具（不図示）を用いて、背面下端側フレーム部８２の両端部８５，８６を背面側縦フレーム部３４に固定している。但し、背面上端側フレーム部８１とは異なり、背面下端側フレーム部８２の端部８５，８６を溶接したＬ字状金具一方の片部の先端が内側に向くように、すなわち、背面壁部１３と対向するように、Ｌ字状金具を取り付けている。
【００６０】
図９及び図２に示すように、上端フレーム部３１と背面上端側フレーム部８１には、シート部３を取り付けるための吊り下げ金具９０が設けられている。本実施形態において、吊り下げ金具９０は、金属製のフックである。
図９に示すように、吊り下げ金具９０の基端９０ａは、上端フレーム部３１の下側３１ｄ及び背面上端側フレーム部８１の下側８１ａに溶接されている。上端フレーム部３１に取り付けられた吊り下げ金具９０の先端９０ｂは外側に向いている。一方、背面上端側フレーム部８１に取り付けられた吊り下げ金具９０の先端９０ｂは内側に向いている。本実施形態では、上端フレーム部３１には４個の吊り下げ金具９０が設けられ、背面上端側フレーム部８１には３個の吊り下げ金具９０が設けられている。
【００６１】
次に、フレーム器具１の機能について説明する。
側面フレーム部２５は、トイレ本体部２の側面側に取り付けられる。前述のように、側面壁部１２の上端側においては、中間フレーム部４０が取り付け金具４４を介して、正面壁部１４及び背面壁部１３に固定される。側面壁部１２の下端側においては、第２の下端フレーム部６０が取り付け金具６８を介して、側面壁部１２の凹部６６に固定される。また、背面フレーム部２６は、トイレ本体部２の背面側に取り付けられる。
【００６２】
図１０に示すように、フレーム器具１を取り付けたトイレ本体部２は、トラック等の車両１０１によって設置場所まで運搬される。
図１０に示す例では、トイレ本体部２はトラックの荷台１０２に、ロープ等の紐部材１０３によって固定されている。紐部材１０３は、トイレ本体部２の一方の側面１２ｃ側から他方の側面１２ｄ側に架け渡されている。紐部材１０３の両端部は荷台１０２に、それぞれ固定されている。
【００６３】
前述のように、上端フレーム部３１には、間隙部３５が設けられている。したがって、トイレ本体部２の一方の側面１２ｃ側において、側面フレーム部２５の外側から間隙部３５を通るように、紐部材１０３を架け渡すと、図１１に示すように、紐部材１０３が上端フレーム部３１に接することなく、側面壁部１２の上縁１６に直接、接することになる。次いで、紐部材１０３は天井部９に接しながら、他方の側面１２ｄ側に向かって延びている。トイレ本体部２の両側面１２ｃ，１２ｄには、同一構造の側面フレーム部２５が取り付けられているため、紐部材１０３は、他方の側面１２ｄ側の間隙部３５を通って斜め下方に延びている。他方の側面１２ｄ側の間隙部３５においても、紐部材１０３が上端フレーム部３１に接することなく、側面壁部１２の上縁１６に直接、接することになる。したがって、フレーム器具１を取り付けた状態でも、トイレ本体部２が車両１０１に強固に固定される。これにより、トイレ２００は車両１０１に強固に固定されることになる。
【００６４】
また、隣り合う連結フレーム部４６ａ，４６ｂの間に、間隙部３５が位置している。したがって、運搬中の車両１０１への衝撃等によって、紐部材１０３が前後方向にずれた場合であっても、紐部材１０３が連結フレーム部４６に引っかかるため、紐部材１０３のずれが低減されることになる。
【００６５】
トイレ２００は、車両１０１によって設置場所まで運搬されると、紐部材１０３が解かれることにより、解放される。そして、トイレ２００は、荷台１０２から降ろされて、設置面Ｓに設置される。設置されたトイレ本体部２において、シート部３をフレーム器具１に取り付ける。まず、側面フレーム部２５へのシート部３の取り付けについて説明する。
図１に示すように、シート部３の周縁部には複数の孔３ａが設けられている。上端フレーム部３１に取り付けられた吊り下げ金具９０には、シート部３の上縁３ｂに沿って設けられた孔３ａが引っ掛けられる。シート部３の側縁３ｃは、孔３ａ及び孔３ａに通した紐部材９５によって、正面側縦フレーム部３３及び背面側縦フレーム部３４に取り付けられる。シート部３の下縁３ｄは、孔３ａ及び孔３ａに通した紐部材９５によって、第１の下端フレーム部３２に取り付けられる。
【００６６】
前述のように、中間フレーム部４０は、トイレ本体部２の幅方向Ｘにおいて、上端フレーム部３１よりも、側面壁部１２に近接した位置にオフセットして設けられている。また、上端フレーム部３１と第１の下端フレーム部３２の幅方向Ｘにおける位置は同じである。したがって、上端フレーム部３１から第１の下端フレーム部３２に延びるシート部３が、中間フレーム部４０によって外側に引っ張られることがなくなる。よって、シート部３が中間フレーム部の位置で曲げられることなく、上端フレーム部３１及び第１の下端フレーム部３２に対して、シート部３が垂直に取り付けられることになる。
【００６７】
また、第２の下端フレーム部６０は、側面壁部１２の下縁６４に沿って配置されて、凹部６６の下端部６６ａに取り付けられている。したがって、フレーム器具１をトイレ本体部２に取り付け、シート部３を取り付けていない状態で、トイレ本体部２を移動させる際に、第２の下端フレーム部６０と凹部６６の下端部６６ａを掴むと、トイレ本体部２が持ち上がる。このように、第２の下端フレーム部６０は、トイレ本体部２を持ち上げる際の把持部としても機能している。
【００６８】
次に、背面フレーム部２６へのシート部３の取り付けについて説明する。
図８に示すように、背面上端側フレーム部８１に取り付けられた吊り下げ金具９０には、シート部３の上縁３ｂに沿って設けられた孔３ａが引っ掛けられる。シート部３の側縁３ｃは、孔３ａ及び孔３ａに通した紐部材９５によって、第１の背面側縦フレーム部３４ｃと第２の背面側縦フレーム部３４ｄに取り付けられる。シート部３の下縁３ｄは、孔３ａ及び孔３ａに通した紐部材９５によって、背面下端側フレーム部８２に取り付けられる。
【００６９】
前述のように、背面上端側フレーム部８１は、第１の背面側縦フレーム部３４ｃと第２の背面側縦フレーム部３４ｄの外側にオフセットして取り付けられている。したがって、背面上端側フレーム部８１と背面壁部１３の間の空間７９が、より広く確保されることになる。したがって、シート部３を取り付けた状態であっても、換気口２４を介した空気の流出入がより促進されることになる。このため、トイレの臭気が外部に排出されやすくなる。
【００７０】
また、背面下端側フレーム部８２は、便槽部６及び給水部１７が露出する位置に配置されている。したがって、背面フレーム部２６及びシート部３をトイレ本体部２に取り付けた状態で、便槽部６からの汲み取り作業及び給水部１７への給水作業ができることになる。
【００７１】
本実施形態では、フレーム器具１とシート部３によって、トイレ用覆い具２０１が構成されている。トイレ用覆い具２０１、すなわち、フレーム器具１にシート部３を取り付けたものによって、トイレ本体部２の側面壁部１２及び背面壁部１３が覆われる。したがって、トイレ用覆い具２０１はトイレ本体部２のブラインド（目隠し）として機能する。また、トイレ用覆い具２０１が取り付けられることによって、トイレ本体部２の壁部８が保護されることになる。
【００７２】
フレーム器具１において、上端フレーム部３１は、上端フレーム部３１を横断する間隙部３５を備えている。したがって、図１０及び図１１を参照して前述したように、トイレ本体部２を固定する紐部材１０３を間隙部３５に架け渡すことができる。よって、フレーム器具１によれば、トイレ２００に取り付けたトイレ用フレーム器具１を取り外すことなく、トイレ２００を車両１０１等の輸送手段に強固に固定することができる。
【００７３】
また、フレーム器具１は、側面フレーム部２５を備えている。したがって、側面壁部１２を覆うシート部３を取り付けることができる。
前述のように、側面フレーム部２５は、トイレ本体部２を挟んで対向配置され、トイレ本体部２の奥行方向Ｄに延びる一対の上端フレーム部３１を備えている。また、間隙部３５は、上端フレーム部３１にそれぞれ設けられている。
したがって、トイレ本体部２を固定する紐部材１０３を一対の間隙部３５に架け渡すことができる。よって、側面フレーム部２５を取り外すことなく、トイレ２００を車両１０１等の輸送手段に強固に固定することができる。
【００７４】
フレーム器具１には、上端フレーム部３１から中間フレーム部４０に向かって延び、上端フレーム部３１と中間フレーム部４０を連結する連結フレーム部４６が設けられている。したがって、連結フレーム部４６によって、上端フレーム部３１と中間フレーム部４０を補強することができる。
フレーム器具１では、隣り合う連結フレーム部４６ａ，４６ｂの間に、間隙部３５が位置している。したがって、図１０及び図１１を参照して前述したように、紐部材１０３がずれた場合であっても、紐部材１０３が連結フレーム部４６ａ，４６ｂに引っかかるため、紐部材１０３のずれを低減させることができる。
また、本実施形態では、連結フレーム部４６ａ，４６ｂが第１の上端フレーム片３１ａ及び第２の上端フレーム片３１ｂの先端部３８ａ，３８ｂにそれぞれ取り付けられているため、第１の上端フレーム片３１ａ及び第２の上端フレーム片３１ｂの先端部３８ａ，３８ｂを補強することができる。
【００７５】
中間フレーム部４０は、トイレ本体部２の幅方向Ｘにおいて、上端フレーム部３１よりも、側面壁部１２に近接した位置にオフセットして設けられている。
したがって、上端フレーム部３１から第１の下端フレーム部３２に延びるシート部３が、中間フレーム部４０によって外側に引っ張られることを防止できる。よって、シート部３が中間フレーム部４０の位置で曲げられることなく、上端フレーム部３１及び第１の下端フレーム部３２に対して、シート部３を垂直に取り付けることができる。このように、シート部３が中間フレーム部４０によって外側に張り出すことがないため、シート部３を取り付けた複数のトイレ２００を近接させて並置した場合であっても、隣り合うトイレ２００において、張り出した部分のシート部３が互いに接触してこすれてしまうという不具合を防止することができる。よって、シート部３の耐久性を高めることができる。
【００７６】
フレーム器具１は、正面側縦フレーム部３３と背面側縦フレーム部３４を備えている。したがって、シート部３の側縁３ｃを正面側縦フレーム部３３及び背面側縦フレーム部３４に取り付けることができる。よって、シート部３の取り付け強度を高めることができる。
また、正面側縦フレーム部３３と背面側縦フレーム部３４には接続部７４が設けられている。したがって、フレーム器具１を組み立てやすくすることができる。
【００７７】
中間フレーム部４０の両端部４１，４２は、正面側縦フレーム部３３と背面側縦フレーム部３４の内側にオフセットしてそれぞれ取り付けられている。したがって、中間フレーム部４０を側面壁部１２に近接した位置に配置することができる。また、中間フレーム部４０によって、正面側縦フレーム部３３と背面側縦フレーム部３４が補強され、側面フレーム部２５の強度を高めることができる。
【００７８】
また、連結フレーム部４６の上端接合部５１が上端フレーム部３１の側面壁部１２と対向する側３１ｃに配され、下端接合部５２が中間フレーム部４０の上側４０ａに配されている。これにより、連結フレーム部４６が上端フレーム部３１から中間フレーム部４０に向かって垂直に延びるように配置することができる。したがって、側面フレーム部２５の垂直方向の強度を高めることができる。
側面フレーム部２５において、第２の下端フレーム部６０は、側面壁部１２の下縁６４に沿って配置されている。したがって、トイレ２００を移動させる際に、第２の下端フレーム部６０を把持してトイレ２００を持ち上げることができる。
【００７９】
また、フレーム器具１は、背面フレーム部２６を備えている。したがって、背面壁部１３を覆うシート部３を取り付けることができる。
背面上端側フレーム部８１の両端部８３，８４は、第１の背面側縦フレーム部３４ｃと第２の背面側縦フレーム部３４ｄの外側にオフセットしてそれぞれ取り付けられている。したがって、背面上端側フレーム部８１と背面壁部１３の間の空間７９をより広く確保することができる。よって、シート部３を取り付けた状態であっても、背面壁部１３の換気口２４を介した空気の流出入をより促進させることができる。したがって、トイレの臭気を外部に逃がしやすくすることができる。
【００８０】
また、背面下端側フレーム部８２は、トイレ本体部２の下端側に設けられた便槽部６及び給水部１７が露出する位置に配置されている。したがって、トイレ本体部２に取り付けたトイレ用フレーム器具１を取り外すことなく、便槽部６からの汲み取り作業及び給水部１７への給水作業を行うことができる。よって、汲み取り作業及び給水作業を迅速に行うことができる。
【００８１】
以上、本考案の実施形態について述べたが、本考案は既述の実施形態に限定されるものではなく、各種の変形及び変更が可能である。
例えば、前述の実施形態では、上端フレーム部３１は、側面壁部１２の上縁１６より高い高さ位置において、側面壁部１２に沿って延びているが、これに限定されない。上端フレーム部３１を側面壁部１２の上縁１６と同じ高さ位置において、側面壁部１２に沿って延びるように構成してもよい。このとき、上端フレーム部３１の上縁３１ｅ（図４）が側面壁部１２の上縁１６と同じ高さ位置であってもよいし、上端フレーム部３１の中心軸が、側面壁部１２の上縁１６と同じ高さ位置であってもよい。
【００８２】
このように、側面壁部１２の上縁１６と同じ高さ位置、すなわち、壁部８の上縁１６と同じ高さ位置において、上端フレーム部３１を壁部８に沿って延びるように構成した場合についても、既述の実施形態と同様に、間隙部３５を通るように、紐部材１０３を架け渡すと、紐部材１０３が上端フレーム部３１に接することなく、側面壁部１２の上縁１６に直接、接することになる。したがって、フレーム器具１を取り付けた状態でも、トイレ本体部２が車両に強固に固定される。これにより、トイレ２００は車両に強固に固定されることになる。
【００８３】
例えば、フレーム器具１は、背面フレーム部２６を備えていなくてもよい。また、側面フレーム部２５を一方の側面１２ｃ側又は他方の側面１２ｄ側のいずれか一方のみに取り付けてもよい。トイレ本体部２の正面側にシート部３を取り付け可能なフレーム部を取り付けてもよい。この場合、シート部３を付けたままトイレ本体部２に出入りするために、シート部３を開閉可能に取り付けることが望ましい。
【００８４】
フレーム器具１において、間隙部３５を有する上端フレーム部３１を側面フレーム部２５以外の部分、例えば、背面フレーム部２６に設けてもよい。この場合、側面フレーム部２５を設けてもよいし、設けなくてもよい。
既述のフレーム器具１は、トイレ本体部２の壁部８との間に所定の空間４５，７９を保持して取り付けられているが、この空間４５，７９を保持せずに、フレーム器具１をトイレ本体部２に取り付けてもよい。
【００８５】
中間フレーム部４０と連結フレーム部４６を設けなくてもよい。また、中間フレーム部４０の長さを正面側縦フレーム部３３と背面側縦フレーム部３４の間の距離よりも短く形成してもよい。この場合、中間フレーム部４０の両端部４１，４２を正面側縦フレーム部３３と背面側縦フレーム部３４に固定せずに、連結フレーム部４６によって中間フレーム部４０を支持してもよい。
【００８６】
中間フレーム部４０と連結フレーム部４６の取り付け位置は、適宜変更してもよい。例えば、中間フレーム部４０を上端フレーム部３１よりも、側面壁部１２に近接した位置に設けなくてもよいし、隣り合う連結フレーム部４６ａ，４６ｂの間に間隙部３５が位置していなくてもよい。
【００８７】
側面フレーム部２５は、第２の下端フレーム部６０を備えていなくてもよいし、第２の下端フレーム部６０を側面壁部１２の下縁６４に沿って配置しなくてもよい。また、側面フレーム部２５は、第１の下端フレーム部３２を備えていなくてもよいし、第１の下端フレーム部３２を側面壁部１２の下縁６４に沿って配置してもよい。
また、側面壁部１２に凹部６６が設けられていなくてもよい。なお、この場合であっても、第２の下端フレーム部６０は、側面壁部１２の外側に位置しているため、第２の下端フレーム部６０を把持することができる。
正面側縦フレーム部３３及び背面側縦フレーム部３４を設けなくてもよい。
【００８８】
背面上端側フレーム部８１と背面下端側フレーム部８２の取り付け位置は、適宜変更してもよい。例えば、背面フレーム部２６において、背面上端側フレーム部８１と同様に、背面下端側フレーム部８２の両端部８５，８６を第１の背面側縦フレーム部３４ｃと第２の背面側縦フレーム部３４ｄの外側にオフセットしてそれぞれ取り付けてもよい。
また、既述の実施形態において、トイレ本体部２は踏板部１５を備え、トイレ個室部５は扉部１０を備えているが、踏板部１５及び扉部１０を設けずに、トイレ本体部２を構成してもよい。
【符号の説明】
【００８９】
１  フレーム器具
２  トイレ本体部
３  シート部
６  便槽部
８  壁部
１２  側面壁部
１３  背面壁部
１７  給水部
２５  側面フレーム部
２６  背面フレーム部
３１  上端フレーム部
３２  第１の下端フレーム部
３３  正面側縦フレーム部
３４  背面側縦フレーム部
３４ｃ  第１の背面側縦フレーム部
３４ｄ  第２の背面側縦フレーム部
３５  間隙部
４０  中間フレーム部
４６  連結フレーム部
６０  第２の下端フレーム部（下端フレーム部）
８１  背面上端側フレーム部
８２  背面下端側フレーム部
２００  トイレ
２０１  トイレ用覆い具
【図１】
0003204632.tif 000003
【図２】
0003204632.tif 000004
【図３】
0003204632.tif 000005
【図４】
0003204632.tif 000006
【図５】
0003204632.tif 000007
【図６】
0003204632.tif 000008
【図７】
0003204632.tif 000009
【図８】
0003204632.tif 000010
【図９】
0003204632.tif 000011
【図１０】
0003204632.tif 000012
【図１１】
0003204632.tif 000013